(57)【要約】【課題】より確実に患者頭部を位置付け固定が可能とされ、且つ操作性の良い医科歯科用Ｘ線撮影装置における患者頭部固定装置と、これを用いた医科歯科用Ｘ線撮影装置を提供する。【解決手段】支持部１０と、該支持部１０に設けられ患者Ｐの両側頭部を押える一対の側頭部押え部１１，１１と、該側頭部押え部１１，１１を患者Ｐの側頭部に押当させ且つ押当を解除するよう動作させる為の作動機構部１６と、該作動機構部１６を押当方向に付勢する付勢手段１７と、作動機構部１６を該付勢手段１７の付勢力に抗して押当解除方向に操作する為の操作部１９とを備えたことを特徴とする患者頭部固定装置９と、この患者頭部固定装置９を供えたことを特徴とするＸ線撮影装置である。【選択図】図３
2008092990.tif 000002
【特許請求の範囲】
【請求項１】
支持部と、該支持部に設けられ患者の両側頭部を押える一対の側頭部押え部と、該側頭部押え部を患者の側頭部に押当させ且つ押当を解除するよう動作させる為の作動機構部と、該作動機構部を押当方向に付勢する付勢手段と、作動機構部を該付勢手段の付勢力に抗して押当解除方向に操作する為の操作部とを備えたことを特徴とする医科歯科用Ｘ線撮影装置の患者頭部固定装置。
【請求項２】
請求項１に記載の医科歯科用Ｘ線撮影装置の患者頭部固定装置において、
前記支持部は、チンレスト及び患者前頭部押え部の少なくともいずれかを更に有し、前記各側頭部押え部は、その先端又は先端近傍に患者の後頭部を押える後頭部押え片を備えていることを特徴とする医科歯科用Ｘ線撮影装置の患者頭部固定装置。
【請求項３】
請求項２に記載の医科歯科用Ｘ線撮影装置の患者頭部固定装置において、
前記後頭部押え片は、患者の側頭部より後頭部にかけての形状に略沿った円弧形状とされ、前記側頭部押え部に対して水平面域内で揺動可能に取付けられていることを特徴とする医科歯科用Ｘ線撮影装置の患者頭部固定装置。
【請求項４】
請求項３に記載の医科歯科用Ｘ線撮影装置の患者頭部固定装置において、
前記後頭部押え片は、その後頭部側が常時は互いに離反するよう弾性付勢された状態とされていることを特徴とする医科歯科用Ｘ線撮影装置の患者頭部固定装置。
【請求項５】
Ｘ線発生器と、Ｘ線検出器と、これらを対向させて支持する支持手段と、上記Ｘ線発生器及びＸ線検出器の間に患者の頭部を保持させる為の患者頭部固定装置とを備えた医科歯科用Ｘ線撮影装置であって、
上記患者頭部固定装置が、請求項１乃至請求項４のいずれかに記載された患者頭部固定装置からなることを特徴とする医科歯科用Ｘ線撮影装置。
【発明の詳細な説明】
【技術分野】
【０００１】
本発明は、医科歯科用Ｘ線撮影装置における患者頭部固定装置の改良とこれを用いた医科歯科用Ｘ線撮影装置に関する。
【背景技術】
【０００２】
医科歯科用Ｘ線撮影装置としては、パノラマ撮影装置、セファロ撮影装置、ＣＴ装置、更にはパノラマ撮影機能とセファロ撮影機能とを備えたＸ線撮影装置が実用化されている。このような医科歯科用Ｘ線撮影装置は、Ｘ線発生器と、Ｘ線検出器と、これらを対向させて支持する支持手段と、Ｘ線発生器及びＸ線検出器の間に患者の頭部を保持させる為の患者頭部固定装置とを備え、この患者頭部固定装置に患者の頭部を固定保持させた状態で、Ｘ線発生器及びＸ線検出器を作動させ、患者頭部の目的部位（歯列弓、歯牙、顎関節、上顎洞、頚椎、鼻骨等）のＸ線撮影を行うものである。従って、診断情報として有益な撮影精度の高いＸ線画像を得る為には、患者の頭部を所定位置に安定的に位置づけさせることが重要であり、他方、この位置づけの為に患者に不快感や不安感を与えないこと、更には、術者或いは補助者がその位置づけを簡易に行えることも重要である。
【０００３】
特許文献１及び特許文献２には、上記のような医科歯科用Ｘ線撮影装置における頭部固定装置が開示されている。特許文献１の患者頭部固定装置は、前頭部押さえ若しくはチンレスト、一対の対向する側頭部押え片、後頭部押さえ手段等により構成され、側頭部押え片は左右の移動調整が可能とされ、また、後頭部押さえ手段は、伸縮性のバンド、可撓性のバンド、弾性突片及びばね付勢され垂直面域で揺動可能な押え片等からなる。特許文献２の患者頭部固定装置は、チンレストと側頭部押さえからなり、側頭部押さえは、ダイヤル、ヘリカルギヤ、ラックギヤ等から構成される開閉機構により相互に接近・離反可能に構成され、また、チンレストは支持台内部に設けられた圧縮ばねによりその変位にブレーキがかかるよう構成されている。
【特許文献１】実開平５−０００１１０号公報
【特許文献２】特開平７−２７５２３９号公報
【発明の開示】
【発明が解決しようとする課題】
【０００４】
上記特許文献１及び特許文献２に開示された患者頭部固定装置における側頭部押さえは、いずれも、術者若しくは補助者が患者の頭部を所定の位置に導入した後、適宜ハンドル操作等によりその位置調整をした上で左右の位置決めをするものであるが、この位置調整作業は少なからず煩わしさを伴うものであった。また、位置調整が不十分であったり、位置調整をし忘れたりすることがあり、その為、Ｘ線撮影が失敗し、再撮影によって患者に負担を強いることもあった。更には、調整機構が複雑であり、部品コスト、組立コストがかかるため、その改善が望まれていた。また、特許文献１の患者頭部固定装置における後頭部押さえ手段は、面ファスナーの係止、小孔と突起との係止、ハンドル操作による押え片の揺動等のように術者若しくは補助者に煩わしい作業が求められる上に、これらの作業が不十分になされると、Ｘ線の撮影精度が低下することにもなる。
【０００５】
本発明は、上記に鑑みて為されたものであり、より確実な患者頭部の位置付け固定が可能とされ、且つ操作性の良い医科歯科用Ｘ線撮影装置における患者頭部固定装置と、これを用いた医科歯科用Ｘ線撮影装置を提供することを目的とする。
【課題を解決するための手段】
【０００６】
第１の発明に係る医科歯科用Ｘ線撮影装置の患者頭部固定装置は、支持部と、該支持部に設けられ患者の両側頭部を押える一対の側頭部押え部と、該側頭部押え部を患者の側頭部に押当させ且つ押当を解除するよう動作させる為の作動機構部と、該作動機構部を押当方向に付勢する付勢手段と、作動機構部を該付勢手段の付勢力に抗して押当解除方向に操作する為の手動操作部とを備えたことを特徴とする。
【０００７】
本発明において、前記支持部が、チンレスト及び患者前頭部押え部の少なくともいずれかを更に有し、前記各側頭部押え部は、その先端又は先端近傍に患者の後頭部を押える後頭部押え片を備えているものとすることができる。この場合、前記後頭部押え片は、患者の側頭部より後頭部にかけての形状に略沿った円弧形状とされ、前記側頭部押え部に対して水平面域内で揺動可能に取付けられているものとすることができる。更に、この後頭部押え片は、その後頭部側が常時は互いに離反するよう弾性付勢されているものとすることができる。
【０００８】
また、第２の発明に係る医科歯科用Ｘ線撮影装置は、Ｘ線発生器と、Ｘ線検出器と、これらを対向させて支持する支持手段と、上記Ｘ線発生器及びＸ線検出器の間に患者の頭部を保持させる為の患者頭部固定装置とを備えた医科歯科用Ｘ線撮影装置であって、上記患者頭部固定装置が、上記のいずれかの患者頭部固定装置からなることを特徴とする。
【発明の効果】
【０００９】
上記第１の発明に係る患者頭部固定装置及び第２の発明に係る医科歯科用Ｘ線撮影装置によれば、側頭部押え部を患者の側頭部に押当させ且つ押当を解除するよう動作させる為の作動機構部が、常時は付勢手段によって押当方向に付勢されており、手動操作部によってこの付勢力に抗して押当解除が可能なように構成されているから、この手動操作部を操作するだけで患者頭部の撮影位置への導入が、患者に不快感や不安感を与えることなく円滑になされる。そして、操作部の操作を止め付勢手段による付勢力を解放すると、側頭部押え部は、付勢手段によって押当方向に作動し、患者頭部を両側部より挟むように押えてその位置付け固定が自動的且つ的確になされる。従って、従来のように位置調整が不十分な為に或いは位置調整のし忘れ等によるＸ線撮影の失敗を招く懸念がなくなる。
【００１０】
上記発明において、前記支持部が、チンレスト及び患者前頭部押え部の少なくともいずれかを更に有し、前記各側頭部押え部が、その先端又は先端近傍に患者の後頭部を押える後頭部押え片を備えているものとすれば、後頭部押え片と、チンレスト及び患者前頭部押え部の少なくともいずれかとにより、患者頭部を前後に挟むように固定することができるから、上記側頭部押え部による機能とも相俟って、患者頭部の位置付け固定がより的確になされる。特に、チンレストと後頭部押え片とを組合せた場合、患者頭部に対して前後・左右・上下方向から挟持する力が作用し、より安定した固定がなされる。
【００１１】
この場合、前記後頭部押え片を、患者の側頭部より後頭部にかけての形状に略沿った円弧形状とし、前記側頭部押え部に対して水平面域内で揺動可能に取付け、更には、この後頭部押え片を、その後頭部側が常時は互いに離反するよう弾性付勢された状態とすれば、患者頭部の測定位置への導入及び測定位置からの退出誘導が円滑になされる。特に、後頭部押え片が上記のように円弧形状とされているので患者頭部の形状に適合し易く、しかも、その後頭部側が常時は互いに離反するよう弾性付勢されているので、患者導入の際の妨げとならず、患者導入後は後頭部押え片の側頭部側部分が患者頭部の側頭部に弾接して、上記適合がより確実なものとなる。
【発明を実施するための最良の形態】
【００１２】
以下、本発明の最良の形態について図面に基づき説明する。図１は本発明の医科歯科用Ｘ線撮影装置の一例としての歯科用Ｘ線撮影装置の正面図、図２は同歯科用Ｘ線撮影装置に採用される患者頭部固定装置の平面図、図３は同患者頭部固定装置における側頭部押え部の作動機構部を示す図、図４（ａ）（ｂ）は同患者頭部固定装置における後頭部押え片の動作状態を示す図、図５（ａ）（ｂ）は同患者頭部固定装置による患者頭部の位置付け固定の要領を示す図、図６及び図７は患者頭部固定装置における側頭部押え部の作動機構部の他の実施形態を示す図３と同様図である。
【００１３】
図１に示す歯科用Ｘ線撮影装置Ａは、パノラマ撮影、ＣＴ撮影及びセファロ撮影が可能とされるものであり、床面に設置される基台１上に支柱２が立設され、該支柱２に対して昇降機構（不図示）を介して本体３が上下昇降可能に支持されている。該本体３のＣ字型（側面視して）本体フレーム３ａには水平方向のセファロ撮影用アーム４が固設され、その先端にはセファロ撮影用ユニット５が装備されている。該セファロ撮影用ユニット５は、垂直軸周りに回動自在なベース板５ａの下面に、患者頭部保持部（耳抑え等を含む）５ｂを配し、更に該患者頭部保持部５ｂを挟むようにセファロ撮影用１次スリット５ｃ及びセファロ撮影用Ｘ線検出部５ｄを配して構成されている。
【００１４】
上記本体フレーム３ａの上辺部には、逆凹型の旋回アーム（支持手段）６が吊持され、該旋回アーム６は、本体フレーム３ａあるいは旋回アーム６自身に内蔵された回転テーブル及びＸ−Ｙテーブル（いずれも不図示）によって水平旋回或いは水平面域での２次元移動が可能とされ、パノラマ撮影あるいはＣＴ撮影時に旋回駆動するよう構成されている。該旋回アーム６は、図例のような形状のものに限らず、リング状であってもよく、また、上記のような水平移動に限らず上下傾動する機能をも備えるものでも良い。該旋回アーム６の一端には、Ｘ線発生器７が、他端には該Ｘ線発生器７に対向するようＸ線検出器８が支持されている。Ｘ線検出器８の前面には、Ｘ線検知センサ基板及び２次スリット板（いずれも不図示）をユニット化したカセットユニット８ａが装着されている。該カセットユニット８ａを着脱可能とし、セファロ撮影用Ｘ線検出部５ｄに代えてセファロ撮影用ユニット５に装着可能とすることで、パノラマ撮影、ＣＴ撮影、及びセファロ撮影におけるＸ線検出器を共通化した構成としても良い。そして、このＸ線発生器７及びＸ線検出器８の間には、患者の頭部を保持する患者頭部固定装置９が配設されている。以下、上記構成のＸ線撮影装置Ａを基に実施の形態を説明するが、本願発明に係る患者頭部固定装置は、例えば、旋回アーム６に代えて基台１の周囲に回転盤（不図示）を設け、回転盤より上方へ延設された支持アーム（不図示）の先端にＸ線発生器７とＸ線検出器８とを対向させて設けたＸ線撮影装置など、様々な実施態様に適用可能であることは、言うまでもない。
【００１５】
図１及び図２に基づけば、頭部固定装置９は、上記本体フレーム３ａの下辺部を構成する支持台（支持部）１０と、該支持台１０に左右接近・離反可能に設けられた左右一対の側頭部押え部１１，１１と、該支持台１０上に設けられたチンレスト１２と、本体フレーム３ａの上辺部より垂下された患者前頭部押え部１３等により構成される。各側頭部押え部１１の先端部には、患者の側頭部より後頭部にかけての形状に略沿った円弧形状の後頭部押え片１４が水平面域内で揺動可能に取付けられ、該後頭部押え片１４の後頭部側１４Ａは、後記する弾性部材１４ａによって互いに離反するよう弾性付勢された状態とされている（図４参照）。本体フレーム３ａの垂直面部にはミラー３ｂが設置され、また、支持台１０の下面には基台１上に立つ患者が把持するハンドル３ｃが設けられている。
【００１６】
次に、上記側頭部押え部１１，１１を左右接近・離反させる為の機構、即ち、側頭部押え部１１，１１を患者の側頭部に押当させ且つ押当を解除させる為の作動機構部１６について説明する。図３は上記支持台１０のカバーケース（不図示）を取外した状態を示しており、同図において、上記支持台１０のベースプレート１０ａ上には、その略中央部に十字状の作動板１８が前後方向に摺動可能に設置されている。尚、前後方向とは図３における上下方向を意味し、以後の記載も同様とする。この作動板１８は、その後端部と支持台１０の後壁部との間に張架された引張ばね（付勢手段）１７によって図示矢印ａのように後方（支柱２側）に弾力付勢されている。この作動板１８上には、前後方向に延びるラックギヤ１８ａが固設され、このラックギヤ１８ａには、支持台１０の側部に突出する回動操作ノブ（操作部）１９に同心的に連結されたピニオンギヤ１９ａが噛合している。作動板１８の横向板部には上記摺動方向に対して４５°の角度をなす一対のガイド溝１８ｂ，１８ｂが逆ハの字状に形成されている。
【００１７】
上記ベースプレート１０ａ上には２本の平行なスライド棒２０，２０が横向き（作動板１８の摺動方向に直交する方向）に横架され、このスライド棒２０，２０に、側頭部押え部１１，１１を支持する左右一対の支持基板２１，２１が左右摺動可能に支持されている。両支持基板２１，２１の下面にはガイドピン２１ａ，２１ａが突設され、該ガイドピン２１ａ，２１ａは、上記作動板１８のガイド溝１８ｂ，１８ｂにその長手方向に沿って摺接可能に嵌挿されている。両支持基板２１，２１の前端部は支持台１０の前方に突出し、結合部材２１ｂ，２１ｂを介してやや前方傾斜状態で支持棒１１ａ，１１ａが立設され、この支持棒１１ａ，１１ａの上端に湾曲形状の患者側頭部押え部１１，１１が互いに向き合うように固設されている。
【００１８】
上記側頭部押え部１１，１１の先端部には、連結ピン１１ｂ，１１ｂを介し、後頭部押え片１４，１４が該連結ピン１１ｂ，１１ｂ回りに水平面域内で揺動可能に取付けられている。後頭部押え片１４，１４は、上記のように、患者の側頭部から後頭部にかけての形状に略沿った円弧形状とされ、その略中央部で上記連結ピン１１ｂ，１１ｂによって連結支持されている。上記弾性部材１４ａは、樹脂製薄板（厚さ０．５ｍｍ程度）等からなり、図４（ａ）（ｂ）に示すように、一端がビス１１ｃによって連結ピン１１ｂに固定され、他端側が後頭部押え片１４の内壁に弾接するよう屈曲した状態で組み込まれている。
【００１９】
上記のような構成の患者頭部固定装置９による患者頭部の位置付け固定要領について、図５（ａ）（ｂ）をも参照して説明する。図３において操作ノブ１９を矢印ｂ方向に回動操作すると、ピニオンギヤ１９ａとラック１８ａとの噛合によって、作動板１８は引張ばね１７の引張弾力に抗して反ａ方向に摺動する。この作動板１８の反ａ方向への摺動に伴い、ガイド溝１８ｂ、１８ｂ内をガイドピン２１ａ，２１ａが相対摺接する。この相対摺接によって、作動板１８の前後方向の動作が支持基板２１，２１の横方向への運動に変換され、支持基板２１，２１がスライド棒２０，２０に沿って互いに離反する方向に摺動する。図３及び図５（ａ）は、支持基板２１，２１が最も離反した状態であって、側頭部押え部１１，１１の間隔が最も大きく開いた状態となっていることを示している。また、後頭部押え片１４，１４は、上記弾性部材１４ａ，１４ａの復元弾力により、その後頭部側１４Ａ，１４Ａ（連結ピン１１ｂによる支持部より先側）が互いに離反し、大きく開いた状態となっている。
【００２０】
この状態で、図５（ａ）に示すよう、患者Ｐの頭部を白抜矢示のように開いた側頭部押え部１１，１１間に導入し、患者Ｐの顎をチンレスト１２上に載せ、更には前頭部押え部１３（図１参照）に患者Ｐの前頭部を宛がった上で、操作ノブ１９の操作力を緩め、引張ばね１７の復元弾力により作動板１８を矢印ａ方向（図３参照）へ後退させる。この作動板１８の後退動作に伴い、ガイドピン２１ａ，２１ａが上記とは逆の方向にガイド溝１８ｂ，１８ｂを摺接し、これに伴い支持基板２１，２１はスライド棒２０，２０に沿って互いに接近する方向に摺動する。従って、側頭部押え部１１，１１も患者Ｐの両側頭部に押当する方向に動作し、押当がなされた時点で操作ノブ１７を手離すと側頭部押え部１１，１１が患者Ｐの両側頭部に弾性押当し、患者頭部の左右の位置付け固定がなされる。このように患者頭部の左右の位置付け固定は、操作ノブ１９を回動操作した後に手離すだけで簡易且つ的確になされる。
【００２１】
上記患者Ｐの導入の際、後頭部押え片１４，１４の側頭部側１４Ｂ、１４Ｂ（連結ピン１１ｂによる支持部より後側）が互いに接近した状態となっているから、患者Ｐの側頭部によって側頭部側１４Ｂ、１４Ｂが押し広げられ、これにより連結ピン１１ｂ，１１ｂを支点として後頭部側１４Ａ、１４Ａが弾性部材１４ａ，１４ａの屈曲変形を伴い、閉じるように患者Ｐの後頭部にフィットした状態で当接し、図５（ｂ）に示す状態となる。従って、後頭部押え片１４，１４による患者Ｐの後頭部の当接と、前記チンレスト１２及び前頭部押え部１３に対する位置付けとにより、患者頭部の前後方向及び上下方向の位置付けも的確になされる。この状態で旋回アーム６を旋回作動させ、また必要に応じて水平面域での２次元移動を組み合わせ、Ｘ線発生器７及びＸ線検出器８を作動させることによって、患者Ｐの全顎パノラマ撮影やＣＴ撮影等の目的のＸ線撮影を精度良く実施することができる。
【００２２】
撮影終了後、患者Ｐを退出させる際は、操作ノブ１９を上記と同様矢印ｂ方向に回動操作し、側頭部押え部１１，１１を患者Ｐの側頭部から離して押当を解除させると、後頭部押え片１４，１４も患者Ｐの頭部から離れる。これにより、後頭部押え片１４，１４が、屈曲された弾性部材１４ａ，１４ａの復元弾力により、図４（ｂ）の矢印ｃ方向に旋回揺動して図４（ａ）の状態に戻る。従って、図３或いは図５（ａ）に示すように側頭部押え部１１，１１が開き、後頭部押え片１４，１４の後頭部側１４Ａ，１４Ａも開いた状態とされるから、患者Ｐは何ら不快感を伴うことなく撮影位置から退出することができる。
【００２３】
図６は、患者頭部固定装置９の他の実施形態を示し、側頭部押え部１１，１１を患者の側頭部に押当させ且つ押当を解除させる為の作動機構部１６を、押当方向に付勢する為の付勢手段が上記実施形態と異なる。即ち、この場合の付勢手段１７は、作動板１８の後端に連結されたワイヤ（或いは紐）１７ａと、滑車１７ｂを介して該ワイヤ１７ａの先端に吊持された錘１７ｃとよりなる。滑車１７ｂ及び錘１７ｃは、支柱２内に設けられる。錘１７ｃによって、作動板１８には常時矢印ａ方向に付勢力が付加される。その他の構成は上記と同様とされるから、操作ノブ１９の矢印ｂ方向への回動操作により上記同様作動板１８の前方への摺動がなされ、側頭部押え部１１，１１及び後頭部押え片１４，１４は上記と同様に動作して、患者頭部の導入・退出が可能とされる。そして、操作ノブ１９の操作停止と手離しにより患者頭部の位置付け固定が上記同様に的確になされる。尚、上記実施形態と共通するその他の部分には同一の符号を付し、その説明は割愛する。
【００２４】
図７は、患者頭部固定装置９の更に他の実施形態を示し、側頭部押え部１１，１１を患者の側頭部に押当させ且つ押当を解除させる為の作動機構部１６を、押当方向に付勢する為の付勢手段が上記実施形態と異なる。即ち、この場合の付勢手段１７は、支持基板２１，２１間に張架された引張ばねによりなり、この引張ばね１７によって支持基板２１，２１は互いに接近する方向（矢印ｄ方向）に弾力付勢されている。その他の構成は上記と同様であり、従って、操作ノブ１９の矢印ｂ方向への回動操作により作動板１８の前方への摺動がなされ、支持基板２１，２１が上記付勢弾力に抗して互いに離反するよう動作する。これにより側頭部押え部１１，１１及び後頭部押え片１４，１４が上記と同様に動作して、患者頭部の導入・退出が可能とされる。また、操作ノブ１９の操作停止と手離しにより、上記同様患者頭部の位置付け固定が的確になされる。尚、上記実施形態と共通するその他の部分には同一の符号を付し、ここでもその説明は割愛する。
【００２５】
尚、セファロ撮影用ユニット５の患者頭部保持部５ｂにも上記患者頭部固定装置９を適用することができる。また、図１ではチンレスト１２及び前頭部押え部１３を備えた例を示しているが、これらはどちらか一方のみでも良く、またこれらの代わりに鼻下点を押さえる構成を採用しても良い。更に、側頭部押え部１１，１１は、旋回アーム６の旋回基部を支持部として、下方に延びるよう構成しても良い。加えて、付勢手段１７としては、上記実施形態以外に、例えば、支持基板２１，２１とベースプレート１０ａの側壁との間に一対の圧縮ばねを介在させること、支持基板２１，２１間を紐等で繋ぎその中央に錘を取付けること、更にはばね以外の弾性体により上記と同様の付勢弾力を付加させること等、種々の手段が採用可能である。また、付勢手段１７の付勢力に抗して側頭部押え部１１を互いに離反させる操作部として、操作ノブ１９を例に上記実施形態を説明したが、操作ノブに限らず、例えば操作スイッチでモータ（いずれも不図示）を駆動し、そのモータの駆動によって側頭部押え部１１を互いに離反させるといった構成も採用可能であり、このような構成の場合、操作スイッチは手押し式とすることもでき、足踏み式フートスイッチとすることもできる。
【図面の簡単な説明】
【００２６】
【図１】本発明の医科歯科用Ｘ線撮影装置の一例としての歯科用Ｘ線撮影装置の正面図である。
【図２】同歯科用Ｘ線撮影装置に採用される患者頭部固定装置の平面図である。
【図３】同患者頭部固定装置における側頭部押え部の作動機構部を示す図である。
【図４】（ａ）（ｂ）は同患者頭部固定装置における後頭部押え片の動作状態を示す図である。
【図５】（ａ）（ｂ）は同患者頭部固定装置による患者頭部の位置付け固定の要領を示す図である。
【図６】患者頭部固定装置における側頭部押え部の作動機構部の他の実施形態を示す図３と同様図である。
【図７】患者頭部固定装置における側頭部押え部の作動機構部の更に他の実施形態を示す図３と同様図である。
【符号の説明】
【００２７】
６              旋回アーム（支持手段）
７              Ｘ線発生器
８              Ｘ線検出器
９              患者頭部固定装置
１１            側頭部押え部
１２            チンレスト
１３            前頭部押え部
１４            後頭部押え片
１４Ａ          後頭部押え片の後頭部側
１６            作動機構部
１７            付勢手段
１９            操作ノブ（操作部）
Ａ              （医科）歯科用Ｘ線撮影装置
Ｐ              患者
【図１】
2008092990.tif 000003
【図２】
2008092990.tif 000004
【図３】
2008092990.tif 000005
【図４】
2008092990.tif 000006
【図５】
2008092990.tif 000007
【図６】
2008092990.tif 000008
【図７】
2008092990.tif 000009